(57)【要約】【課題】プリント基板を装置外装キャビネットに組み込む以前にリモコン受光素子がプリント基板端面からはみ出すことがないようにし、プリント基板のハンドリング性を向上させる。【解決手段】上端部にリモコン受光素子１を取り付け可能なフレーム部材２１で構成され、このフレーム部材２１にリモコン受光素子１を取り付けてプリント基板３上に回動可能に直立させ、このプリント基板３を装置外装キャビネットに組み込む際にフレーム部材２１を９０度倒してリモコン受光素子１をプリント基板３の基板端面５から外にはみ出させ、装置外装キャビネットに設けられたリモコン受光フィルタの内側近傍にリモコン受光素子１を配置することを可能としたリモコン受光素子ホルダである。【選択図】      図１
2004179416.tif 000002
【特許請求の範囲】
【請求項１】
上端部にリモコン受光素子を取り付け可能なフレーム部材で構成され、このフレーム部材にリモコン受光素子を取り付けてプリント基板上に回動可能に直立させ、このプリント基板を装置外装キャビネットに組み込む際にフレーム部材を９０度倒してリモコン受光素子をプリント基板端面から外にはみださせ、装置外装キャビネットに設けられたリモコン受光フィルタの内側近傍にリモコン受光素子を配置することを特徴とするリモコン受光素子ホルダ。
【請求項２】
前記フレーム部材は、その上端部に取り付けたリモコン受光素子からフレーム部材に沿って垂下させたリードの先端部をプリント基板に半田止めして固定することによってプリント基板上に直立されたことを特徴とする請求項１記載のリモコン受光素子ホルダ。
【請求項３】
前記フレーム部材は、直立させた時にプリント基板と接触する下端部が略Ｌ字型に曲げられて水平部を有し、かつＬ字型の角部は円弧状に形成されて回動可能としたことを特徴とする請求項１記載のリモコン受光素子ホルダ。
【請求項４】
前記フレーム部材には、９０度倒した時にプリント基板に開けられた固定穴に嵌まりロックされるためのフック部が設けられていることを特徴とする請求項１記載のリモコン受光素子ホルダ。
【請求項５】
前記リモコン受光素子は、フレーム部材が直立している時にはその受光面がプリント基板面と平行になるようにフレーム部材上端部に取り付けられていることを特徴とする請求項１記載のリモコン受光素子ホルダ。
【請求項６】
前記リモコン受光素子は、フレーム部材が直立している時はプリント基板端面から外にはみ出さず、９０度倒した時はプリント基板端面から外にはみ出すようにフレーム部材の上端部に取り付けられていることを特徴とする請求項１記載のリモコン受光素子ホルダ。
【請求項７】
前記プリント基板をガイド溝付の基板搬送箱に複数枚並列に収納する際、フレーム部材がプリント基板に直立して取り付けられた状態で収納可能としたことを特徴とする請求項１記載のリモコン受光素子ホルダ。
【請求項８】
前記リモコン受光素子を取り付けたフレーム部材全体の高さが、基板搬送箱のガイド溝のピッチ間隔に納まる高さであることを特徴とする請求項７記載のリモコン受光素子ホルダ。
【発明の詳細な説明】
【０００１】
【発明の属する技術分野】
本発明は、家庭電化製品などの電子機器のリモコン操作を行なう際に使用する赤外線受光装置に関するもので、特に赤外線を受光する受光素子を取り付けるためのリモコン受光素子ホルダに関する。
【０００２】
【従来の技術】
従来の赤外線リモコン受光素子（以下、単にリモコン受光素子と称する）の取り付け方法について説明する。まず、図１０の斜視図に示すように、リモコン受光素子１１は電子機器等の装置外装キャビネット１２に取り付けられたリモコン受光フィルタ１４の内側近傍に配置する必要があり、その配置方法としては、プリント基板１３の端部にリモコン受光素子１１を取り付け、このプリント基板１３を水平状態にしてリモコン受光フィルタ１４とリモコン受光素子１１の受光面とを対峙させ、リモコン受光素子１１をリモコン受光フィルタ１４の近傍に配置している（例えば、特許文献１参照。）。
【０００３】
また、図１１の側面図に示すように、プリント基板１３を装置外装キャビネット１２内部に垂直に設置する場合には、リモコン受光素子１１の受光面がプリント基板１３と平行になるようにリモコン受光素子１４のリード２５を９０度折り曲げてプリント基板１３の端部に取り付け、このプリント基板１３を垂直にしてリモコン受光フィルタ１４とリモコン受光素子１１の受光面とを対峙させ、リモコン受光素子１１をリモコン受光フィルタ１４の近傍に配置している（例えば、特許文献２参照。）。
【０００４】
このような従来のリモコン受光素子１１を取り付けたプリント基板１３は、装置外装キャビネット１２内部における部品配置の問題等により、図１２の斜視図に示すように、装置外装キャビネット１２の内壁から距離Ｌだけ離間して設置しなければならない場合がある。このような場合には、当然ながらリモコン受光素子１１とリモコン受光フィルタ１４との間隔が開いてしまい、リモコン受光素子１１をリモコン受光フィルタ１４の近傍に配置することができなくなる。そのため、図１３の斜視図に示すように、リモコン受光素子１１をリモコン受光フィルタ１４の近傍まで移動させることが必要となる。そこで、リモコン受光素子１１のリード２５を延長することによって、リモコン受光素子１１をリモコン受光フィルタ１４に接近させる構造を採らざるを得ない。その結果、リモコン受光素子１１はプリント基板１３の基板端面５から大きく突出した状態でプリント基板１３に取り付けられることになる。
【０００５】
【特許文献１】
実開昭６３−１７０９９２号公報（第１図）
【特許文献２】
特開昭６３−１７２５９３号公報（第１図）
【０００６】
【発明が解決しようとする課題】
上述したように、従来は、リモコン受光素子がプリント基板端面から外へはみ出した状態でプリント基板に取り付けなければならない場合がある。このような状態でリモコン受光素子が取り付けられているプリント基板を装置外装キャビネットへの組み込み工程に搬入しようとすると、まず、基板搬送箱に収納できないと言う問題が発生する。この基板搬送箱は、等ピッチで対向配置されたガイド溝にプリント基板を差し込んで複数枚を垂直に並べて収納する方式であるため、プリント基板からはみ出した搭載部品があるとガイド溝に挿入できなくなり収納不可能となる。また、組み込み作業の途中でリモコン受光素子に物が当たり、リモコン受光素子の取り付け位置にズレが発生するなど、プリント基板のハンドリング性に問題があった。
【０００７】
本発明は、これらの不具合を改善するためになされたもので、リモコン受光素子をプリント基板に取り付ける際に、回動可能なホルダを介してプリント基板に取り付けることによって、プリント基板を装置外装キャビネットに組み込む以前にリモコン受光素子がプリント基板端面から外にはみ出すことがないようにし、プリント基板のハンドリング性を向上させることを目的とする。
【０００８】
【課題を解決するための手段】
本発明のリモコン受光素子ホルダは、上端部にリモコン受光素子を取り付け可能なフレーム部材で構成され、このフレーム部材にリモコン受光素子を取り付けてプリント基板上に回動可能に直立させ、このプリント基板を装置外装キャビネットに組み込む際にフレーム部材を９０度倒してリモコン受光素子をプリント基板端面から外にはみださせ、装置外装キャビネットに設けられたリモコン受光フィルタの内側近傍にリモコン受光素子を配置できるようにしている。
【０００９】
また、前記フレーム部材は、その上端部に取り付けたリモコン受光素子からフレーム部材に沿って垂下させたリードの先端部をプリント基板に半田止めして固定することによってプリント基板上に直立され、また、このフレーム部材は、直立させた時にプリント基板と接触する下端部が略Ｌ字型に曲げられて水平部を有し、かつＬ字型の角部は円弧状に形成されて回動可能とし、９０度倒した時にプリント基板に開けられた固定穴に嵌まりロックされるためのフック部が設けられている。
【００１０】
また、前記リモコン受光素子は、フレーム部材が直立している時にはその受光面がプリント基板面と平行になるようにフレーム部材上端部に取り付けられており、フレーム部材が直立している時はプリント基板端面から外にはみ出さず、９０度倒した時はプリント基板端面から外にはみ出すようになっている。
【００１１】
また、本発明は、前記プリント基板をガイド溝付の基板搬送箱に複数枚並列に収納する際、フレーム部材がプリント基板に直立して取り付けられた状態で収納可能とし、リモコン受光素子を取り付けたフレーム部材全体の高さが、基板搬送箱のガイド溝のピッチ間隔に納まる高さとなるようにしている。
【００１２】
【発明の実施の形態】
まず、本発明の特徴について説明する。本発明のリモコン受光素子ホルダ（以下、単にホルダと称する）は、プリント基板にリモコン受光素子を取り付ける際に使用するものである。その使用方法は、あらかじめホルダにリモコン受光素子を取り付けておき、このホルダを介してリモコン受光素子をプリント基板に取り付ける。プリント基板組み立て時やプリント基板を基板搬送箱に入れて搬送する時には、リモコン受光素子はプリント基板端面から外にはみ出さず、また、装置外装キャビネットへの組み立て時には、ホルダを９０度回動させて水平に倒し、プリント基板端面の外側へリモコン受光素子をはみ出させた状態で取り付けることが可能である。
【００１３】
次に、本発明の一実施の形態について、図面を参照して説明する。図１、図２は、本発明によるホルダを介してリモコン受光素子がプリント基板に取り付けられた状態を示す斜視図、図３はその側面図である。また、図４、図５はリモコン受光素子が取り付けられたプリント基板が装置外装キャビネットに組み込まれた時の状態を示す斜視図、図６はその側面図である。
【００１４】
本発明のホルダは、図１〜３に示すように、プリント基板３の基板端面５の近傍に直立させて取り付けられるフレーム部材２１で構成されており、このフレーム部材２１は、上端部にリモコン受光素子１を取り付けるための段部２２と、下端部にプリント基板３の面上に直立しやすいように略Ｌ字型に形成した脚部２７と、フレーム部材２１を９０度水平に倒した時にプリント基板３にロックできるようにプリント基板３に開けた固定穴６に嵌まるフック部２４と、ロック時に基板端面５に係止する突起部２３とを有し、脚部２７のＬ字型角部には回動しやすいように円弧部２６が設けられている。これらのリモコン受光素子ホルダ２を構成しているフレーム部材、段部、脚部、フック部、突起部等は、全て樹脂材などで一体成形されている。
【００１５】
このように構成されたホルダ２をプリント基板３上に直立させるには、まず、フレーム部材２１の上端部に設けられた段部２２にリモコン受光素子１の受光面を上に向けて取り付け、リード２５をフレーム部材２１に沿って垂下させ、リード２５の先端をプリント基板３に半田付けして半田止め部４とする。このリード２５の半田止めにより、ホルダ２はプリント基板３上に固定され直立することができる。
【００１６】
この状態では、リモコン受光素子１はプリント基板３の基板端面５から外へはみ出しておらず、図７の斜視図に示すように、基板搬送箱７へも収納することができ、プリント基板のハンドリングにおいて問題は発生しない。基板搬送箱７には複数のガイド溝８が等ピッチで対向配置されており、複数のプリント基板３を平行に立てて並べることができる。また、ガイド溝８のピッチ間隔は、リモコン受光素子１を取り付けたホルダ２全体の高さよりも広くしてある。
【００１７】
次に、このホルダを直立して取り付けたプリント基板を、電子機器等の装置外装キャビネットに組み込む場合について説明する。まず、直立したホルダ２を有するプリント基板３を基板搬送箱７（図７）から取り出し、図４〜６に示すようにホルダ２を９０度回動させて水平に倒し、図１〜３で説明したようにフレーム部材２１に一体成形されたフック部２４をプリント基板３の固定穴６にはめ込むことにより、ホルダ２はプリント基板３に対し水平方向に固定される。ホルダ２を９０度回動させる際は、フレーム部材２１の脚部２７に設けられた円弧部２６によって容易に回動可能である。また、回動の際、リード２５は半田止め部４の近傍において直角に折れ曲がる。その結果、リモコン受光素子１は基板端面５より外側にあり、かつ受光面をリモコン受光フィルタに向けて装置外装キャビネットの内壁面近傍に配置することができる。この際、リード２５はホルダ２で保護されるため、物にぶつかってリモコン受光素子１の位置がずれることはない。
【００１８】
次に、本発明における他の実施の形態について説明する。図８はその斜視図、図９はその正面図である。プリント基板３のスペースに余裕がある場合には、フレーム部材２１に一体成形されたフック部２４ａ、２４ｂを両側に設置することによって、ホルダ２のプリント基板３への固定をより確実にすることができるようにしている。
【００１９】
【発明の効果】
本発明のホルダによれば、リモコン受光素子がプリント基板端面から外へはみ出した状態でプリント基板に取り付けなければならない場合でも、リモコン受光素子が９０度倒したホルダで保護されるため、プリント基板を装置外装キャビネットへの組み込み作業の途中でリモコン受光素子に物が当たり、リモコン受光素子の取り付け位置にズレが発生することがなくなり、リモコン受光素子を装置外装キャビネットの内壁面近傍に配置することができる。また、組み込み作業以前には、ホルダがプリント基板上に直立しているためリモコン受光素子はプリント基板端面から外にはみ出すことがなく、プリント基板を基板搬送箱に収納することが可能である。
【００２０】
このように、本発明は、リモコン受光素子をプリント基板に取り付ける際に、回動可能なホルダを介してプリント基板に取り付けることによって、プリント基板を装置外装キャビネットに組み込む以前にリモコン受光素子がプリント基板端面から外にはみ出すことがなく、プリント基板のハンドリング性を向上させることができる。
【図面の簡単な説明】
【図１】本発明におけるホルダの一実施の形態を示す斜視図である。
【図２】図１を別の方向から見た斜視図である。
【図３】図１の側面図である。
【図４】本発明におけるホルダを装置に組み込んだ状態を示す斜視図である。
【図５】図４を別の方向から見た斜視図である。
【図６】図４の側面図である。
【図７】本発明のホルダを取り付けた基板を搬送箱に収納する状態を示す斜視図である。
【図８】本発明における他の実施の形態を示す斜視図である。
【図９】図８の正面図である。
【図１０】従来の素子の配置を示す斜視図である。
【図１１】従来の素子の配置を示す側面図である。
【図１２】従来の素子がフィルタから離間している場合の斜視図である。
【図１３】従来の素子が基板外にある場合の斜視図である。
【符号の説明】
１    リモコン受光素子
２    リモコン受光素子ホルダ
３    プリント基板
４    半田止め部
５    基板端面
６    固定穴
７    基板搬送箱
８    ガイド溝
１１    リモコン受光素子
１２    装置外装キャビネット
１３    プリント基板
１４    リモコン受光フィルタ
２１    フレーム部材
２２    段部
２３    突起部
２４、２４ａ、２４ｂ    フック部
２５    リード
２６    円弧部
２７    脚部
【図１】
2004179416.tif 000003
【図２】
2004179416.tif 000004
【図３】
2004179416.tif 000005
【図４】
2004179416.tif 000006
【図５】
2004179416.tif 000007
【図６】
2004179416.tif 000008
【図７】
2004179416.tif 000009
【図８】
2004179416.tif 000010
【図９】
2004179416.tif 000011
【図１０】
2004179416.tif 000012
【図１１】
2004179416.tif 000013
【図１２】
2004179416.tif 000014
【図１３】
2004179416.tif 000015